(57)【要約】【課題】空き缶を安定的に配置した状態で平板状にまで押し潰す簡易な缶潰し器を提供する。【解決手段】空き缶潰し器１は、第１の部材１１と、第１の部材１１と平行な位置に配置される第２の部材１２と、第１の部材１１の一方の端部と第２の部材１２の一方の端部とを連結する第１の連結部１３と、第１の部材１１の他方の端部と第２の部材１２の他方の端部とを連結する第２の連結部１４とを備えている。空き缶を略全面に渡って潰すために第１の部材１１と第２の部材１２と間の幅を広くとった第１の形状と、第１の形状において空き缶を潰した後に当該空き缶の中央部に生じる開口部から取り出し可能なように第１の部材１１と第２の部材１２と間の幅を狭くとった第２の形状との位置関係を容易に移行可能とすることにより、最終的に第１の形状の空き缶潰し器１によって、上述の空き缶を平板上にまで潰すことが可能である。【選択図】図１
2011212740.tif 000002
【特許請求の範囲】
【請求項１】
空き缶を潰すために当該空き缶に接触する第１の部分を形成する第１の部材と、
前記第１の部材とともに空き缶を潰すために当該空き缶に接触する第２の部分を形成する第２の部材と、
前記第１の部材と前記第２の部材とを互いに連結する連結部と
を備える空き缶潰し器であって、
前記第１の部分の長手方向と前記第２の部分の長手方向とは互いに平行であり、
前記第１の部材および前記第２の部材の各々は前記連結部に対し回動可能に連結され、
前記第１の部材の前記連結部に対する回動と前記第２の部材の前記連結部に対する回動とは互いに連動し、
前記連動した回動により、空き缶の胴部を潰すための第１の形状と、前記第１の部材および前記第２の部材のうち前記第１の形状の前記空き缶潰し器により胴部を潰された当該空き缶の上面部と胴部もしくは下面部と胴部との間に挟まった部分を当該空き缶の上面部と下面部との間に形成される隙間から取り出し可能なように前記第１の部分と前記第２の部分との間の距離が前記第１の形状よりも狭い第２の形状とを選択的に取り得る
空き缶潰し器。
【請求項２】
前記連結部は、前記第１の部材の一方の端部と前記第２の部材の一方の端部とを互いに連結する第１の連結部と、前記第１の部材の他方の端部と前記第２の部材の他方の端部とを互いに連結する第２の連結部とを有し、
床面上に配置された空き缶を潰すために前記空き缶潰し器を当該空き缶の上方に配置した状態において上方から見た場合に、前記第１の部材の長手方向と前記第２の部材の長手方向が互いに平行な状態を保ちながら前記第１の連結部および前記第２の連結部に対して回動し、前記第１の部材と前記第２の部材とが当該平行の方向において互いに逆方向に移動することにより前記第１の形状と前記第２の形状との間の移行が行われる
請求項１に記載の空き缶潰し器。
【請求項３】
前記第１の部材および前記第２の部材の各々に関し、当該部材は長手方向に伸びる棒状体部と前記棒状体部の両端から各々当該長手方向に対して同方向に垂直に延伸する立ち上がり部とを有し、
前記第１の部材および前記第２の部材の各々に関し、当該部材は、当該部材の前記棒状体部に対する前記立ち上がり部の延伸の方向が回転の中心となるように、前記立ち上がり部が前記連結部に対し回動可能に連結されている
請求項２に記載の空き缶潰し器。
【発明の詳細な説明】
【技術分野】
【０００１】
本発明は、空き缶を潰す器具に関する。
【背景技術】
【０００２】
既存の空き缶潰し器の中には、高効率ではあるが、大型であり、構造が複雑かつ高価なものが多くある。
【０００３】
それに対し、近年の資源リサイクルへの関心の高まりに伴い、家庭でも使用可能なように、小型であり、構造が簡単かつ安価な空き缶潰し器が提案されてきている。
【０００４】
例えば、特許文献１に開示されている空き缶潰し器は、硬質の素材で成形した２枚の板の間に空き缶を挟んで、蝶番を支点として当該空き缶を平板状にまで押し潰すような構成を採用している。
【０００５】
また、特許文献２に開示されている空き缶潰し器は、簡易な構造によって特許文献１の缶潰し器と類似の方法によりアルミの空き缶を容易に潰すことが可能である。
【先行技術文献】
【特許文献】
【０００６】
【特許文献１】特開平５−１５４６９８号公報
【特許文献２】実登３１１２０６９号公報
【発明の概要】
【発明が解決しようとする課題】
【０００７】
特許文献１または２に開示されている空き缶潰し器は、いずれも蝶番を支点として２枚の板の相対的な角度を変化させることによって、間に挟んだ空き缶を押し潰すものであり、空き缶に対する力のかかり方が均等ではなく、空き缶自体が空き缶潰し器から押し出される方向に力を受けてしまい、その点において必ずしも安定しないという問題を有している。
【０００８】
また、特許文献１または２に開示されている空き缶潰し器は、いずれも空き缶全体を覆うサイズの２枚の板を要するため、携帯できる程の小型化を行うことができない、という問題も有している。
【０００９】
そこで、本発明は、空き缶を平板状になるまで安定的に押し潰すことが可能な、簡易な構造の小型の空き缶潰し器を提供することを目的とする。
【課題を解決するための手段】
【００１０】
本発明は、上記の目的に鑑みて想到されたものであり、
空き缶を潰すために当該空き缶に接触する第１の部分を形成する第１の部材と、
前記第１の部材とともに空き缶を潰すために当該空き缶に接触する第２の部分を形成する第２の部材と、
前記第１の部材と前記第２の部材とを互いに連結する連結部と
を備える空き缶潰し器であって、
前記第１の部分の長手方向と前記第２の部分の長手方向とは互いに平行であり、
前記第１の部材および前記第２の部材の各々は前記連結部に対し回動可能に連結され、
前記第１の部材の前記連結部に対する回動と前記第２の部材の前記連結部に対する回動とは互いに連動し、
前記連動した回動により、空き缶の胴部を潰すための第１の形状と、前記第１の部材および前記第２の部材のうち前記第１の形状の前記空き缶潰し器により胴部を潰された当該空き缶の上面部と胴部もしくは下面部と胴部との間に挟まった部分を当該空き缶の上面部と下面部との間に形成される隙間から取り出し可能なように前記第１の部分と前記第２の部分との間の距離が前記第１の形状よりも狭い第２の形状とを選択的に取り得る
空き缶潰し器を提供する（第１の実施態様）。
【００１１】
また、上記の第１の実施態様において、
前記連結部は、前記第１の部材の一方の端部と前記第２の部材の一方の端部とを互いに連結する第１の連結部と、前記第１の部材の他方の端部と前記第２の部材の他方の端部とを互いに連結する第２の連結部とを有し、
床面上に配置された空き缶を潰すために前記空き缶潰し器を当該空き缶の上方に配置した状態において上方から見た場合に、前記第１の部材の長手方向と前記第２の部材の長手方向が互いに平行な状態を保ちながら前記第１の連結部および前記第２の連結部に対して回動し、前記第１の部材と前記第２の部材とが当該平行の方向において互いに逆方向に移動することにより前記第１の形状と前記第２の形状との間の移行が行われる
構成を採用してもよい（第２の実施態様）。
【００１２】
また、上記の第２の実施態様において、
前記第１の部材および前記第２の部材の各々に関し、当該部材は長手方向に伸びる棒状体部と前記棒状体部の両端から各々当該長手方向に対して同方向に垂直に延伸する立ち上がり部とを有し、
前記第１の部材および前記第２の部材の各々に関し、当該部材は、当該部材の前記棒状体部に対する前記立ち上がり部の延伸の方向が回転の中心となるように、前記立ち上がり部が前記連結部に対し回動可能に連結されている
構成を採用してもよい（第３の実施態様）。
【発明の効果】
【００１３】
本発明の第１の実施態様にかかる空き缶潰し器によれば、空き缶を安定的に配置した状態で平板状になるまで押し潰すことが可能である。また、不使用時には、ほぼ棒状体となる第２の形状とすることにより、場所を取らず携帯等も可能である。
【００１４】
また、本発明の第２の実施態様にかかる空き缶潰し器によれば、第１の連結部と第２の連結部を同方向に回転させることにより、容易に第１の形状と第２の形状との間の移行を行うことができる。
【００１５】
また、本発明の第３の実施態様にかかる空き缶潰し器によれば、立ち上がり部の存在によりユーザが空き缶潰し器を保持し加圧を行う第１の連結部および第２の連結部が空き缶に直接接触することがなく、空き缶を潰す作業を快適かつ安全に行うことができる。
【図面の簡単な説明】
【００１６】
【図１】図１は、本発明の実施形態にかかる空き缶潰し器の第１の形状を表す図である。
【図２】図２は、本発明の実施形態にかかる空き缶潰し器の第２の形状を表す図である。
【図３】図３は、本発明の実施形態にかかる空き缶潰し器による空き缶の潰し方を説明する図である。
【図４】図４は、本発明の実施形態にかかる空き缶潰し器を空き缶から取り外す方法を説明する図である。
【図５】図５は、本発明の実施形態にかかる空き缶潰し器による空き缶の潰し方を説明する図である。
【発明を実施するための形態】
【００１７】
（実施形態）
以下、本発明の一具体例である実施形態を、図面を用いて説明する。なお、本実施形態にかかる空き缶潰し器１は、３５０ミリリットルの容量の空き缶を潰すのに適した器具である。
【００１８】
空き缶潰し器１は、空き缶Ｃを潰すための形状である第１の形状と、空き缶Ｃの胴部を潰した後に空き缶Ｃに挟み込まれる空き缶潰し器１を空き缶Ｃから取り外すための形状である第２の形状との間を変化することができる。図１は、第１の形状の空き缶潰し器１を示した図である。
【００１９】
空き缶潰し器１は、第１の部材１１と、第１の部材１１と平行に配置される第２の部材１２と、第１の部材１１の一方の端部と第２の部材１２の一方の端部とを連結する第１の連結部１３と、第１の部材１１の他方の端部と第２の部材１２の他方の端部とを連結する第２の連結部１４とを備えている。
【００２０】
空き缶潰し器１の各要素は、例えばステンレス製である。
【００２１】
第１の部材１１および第２の部材１２は、例えば同じ大きさおよび形状を有しているので、以下、第１の部材１１を中心に説明する。
【００２２】
第１の部材１１は、例えば、細長い略円筒形状を有する部材であり、缶を潰すために床面上に配置された状態で両端部が垂直上方に曲げられている。したがって、第１の部材１１の本体の軸の長手方向と、第１の部材１１の両端部の軸の長手方向とは略垂直な位置関係となる。
【００２３】
すなわち、第１の部材１１は、長手方向に伸びる第１の棒状体部１１１と第１の棒状体部１１１の両端から各々当該長手方向に対して同方向に垂直に延伸する２つの第１の立ち上がり部１１２とを有する。
【００２４】
同様に、第２の部材１２は、長手方向に伸びる第２の棒状体部１２１と第２の棒状体部１２１の両端から各々当該長手方向に対して同方向に垂直に延伸する２つの第２の立ち上がり部１２２とを有する。
【００２５】
また、第１の部材１１の（垂直上方に曲げられた部分、すなわち第１の立ち上がり部１１２を含んだ）長手方向（すなわち、軸方向）の長さは、例えば１８センチメートルであり、第１の部材１１を当該長手方向と垂直な平面で切った断面は、例えば直径が５ミリメートルの円形状を有している。
【００２６】
また、第１の部材１１の両端部のそれぞれにおいて上述のように垂直方向に曲げられた部分、すなわち第１の立ち上がり部１１２の軸方向の長さは、各々例えば３センチメートルである。したがって、第１の部材１１の（垂直上方に曲げられた部分、すなわち第１の立ち上がり部１１２を含まない）長手方向の長さ、すなわち第１の棒状体部１１１の長さは、約１２センチメートルとなる。
【００２７】
第１の部材１１は、空き缶Ｃを潰すために空き缶Ｃに接触する第１の部分を形成する。同様に、第２の部材１２は、空き缶Ｃを潰すために空き缶Ｃに接触する第２の部分を形成する。当該第１の部分および当該第２の部分は、第１の棒状体部１１１および第２の棒状体部１２１の概ね下側の部分である。
【００２８】
したがって、上述の第１の部分の長手方向と上述の第２の部分の長手方向とは互いに平行である。
【００２９】
第１の連結部１３および第２の連結部１４は、例えば同じ大きさおよび形状を有しているので、以下、第１の連結部１３を中心に説明する。
【００３０】
第１の連結部１３は、例えば、縦が６センチメートルで、横が２．５センチメートルで、高さが１．５センチメートルの略直方体状の形状を有している。ただし、第１の連結部１３は、ユーザの手で扱うため角の部分は曲率が設けられている。
【００３１】
第１の連結部１３においては、例えば３．５センチメートルの幅を間に保持しながら、第１の部材１１の一方の端部と第２の部材１２の一方の端部とが高さ方向に貫いている。そして、第１の部材１１の一方の端部および第２の部材１２の一方の端部は、第１の連結部１３に対して、第１の立ち上がり部１１２および第２の立ち上がり部１２２の軸を回転軸として回転可能なように、例えばネジ留めされている。
【００３２】
したがって、空き缶Ｃを潰すために床面上に配置し上から見た状態において、第１の部材１１および第２の部材１２は相互に平行な状態を保ちながら第１の連結部１３に対して左回りもしくは右回りに回転することが可能である。
【００３３】
同様に、第１の部材１１の他方の端部および第２の部材１２の他方の端部は、第２の連結部１４に対して回転可能なように例えばネジ留めされている。
【００３４】
より具体的には、第１の部材１１および第２の部材１２の各々は第１の連結部１３および第２の連結部１４に対し回動可能に連結され、第１の部材１１の第１の連結部１３および第２の連結部１４に対する回動と第２の部材１２の第１の連結部１３および第２の連結部１４に対する回動とは互いに連動する。
【００３５】
空き缶潰し器１は、そのように連動した回動により、空き缶Ｃを潰すための第１の形状と、胴部を潰した際に空き缶Ｃに挟み込まれる空き缶潰し器１を空き缶Ｃから取り外すための第２の形状とを選択的に取りうる。図２は、第２の形状の空き缶潰し器１を示した図である。
【００３６】
図２に示されるように、第２の形状が第１の形状と異なる点は、第１の部材１１と第２の部材１２（もしくは上述の第１の部分と第２の部分）との間隔が、第１の形状におけるものと比べ狭いという点である。
【００３７】
空き缶潰し器１のユーザは、第１の連結部１３および第２の連結部１４を右回り（もしくは左回り）に回転させることにより、空き缶潰し器１を第１の形状から第２の形状に変化させることができる。また、ユーザは、第１の連結部１３および第２の連結部１４を左回り（もしくは右回り）に回転させることにより、空き缶潰し器１を第２の形状から第１の形状に変化させることができる。
【００３８】
なお、第１の形状と第２の形状との間の移行の際、第１の部材１１の長手方向と第２の部材１２の長手方向が互いに平行を保ちながら第１の連結部１３および第２の連結部１４に対して回動し、第１の部材１１と第２の部材１２とが当該平行の方向において互いに逆方向に移動する。
【００３９】
以上のような構成を有する空き缶潰し器１の使用方法の一例を、以下に説明する。
【００４０】
まずユーザは、例えば床面上に空き缶Ｃを横に寝かせた状態で配置する。続いて、ユーザは空き缶潰し器１を図１に示されるような第１の形状にして、例えば左手および右手で第１の連結部１３および第２の連結部１４を各々握って、空き缶潰し器１の長手方向と空き缶Ｃの長手方向が交差するように、空き缶潰し器１を空き缶Ｃの上から押し当てる。その際、図３（ａ）に示されるように、第１の部材１１および第２の部材１２の下面（すなわち上述した第１の部分および第２の部分）が空き缶Ｃの胴部の上面に接触することになる。
【００４１】
この状態において、ユーザが第１の連結部１３および第２の連結部１４に対し下方に力を加えると、空き缶Ｃが図３（ｂ）に示されるように潰れる。
【００４２】
図３（ｂ）に示されるように、第１の形状の空き缶潰し器１により空き缶Ｃの胴部を潰した直後の状態では、空き缶潰し器１の第１の部材１１および第２の部材１２が空き缶Ｃの上面部もしくは下面部と胴部との間に挟まり、空き缶潰し器１を空き缶Ｃから取り外すことができない。
【００４３】
そこで、ユーザは、第１の連結部１３および第２の連結部１４を第１の部材１１および第２の部材１２に対して上から見て右回り（もしくは左回り）に回転させ、空き缶潰し器１を第２の形状に変形させる。その結果、空き缶潰し器１は図２に示される形状となる。
【００４４】
図４に示されるように、第２の形状に変形された空き缶潰し器１の第１の部材１１および第２の部材１２の間隔は狭くなり、胴部を潰された空き缶Ｃの上面部と下面部との間に生じている開口部を通り抜けることができる。そこで、ユーザは第２の形状の空き缶潰し器１を上方に持ち上げ、胴部の潰された空き缶Ｃから取り外す。
【００４５】
続いて、ユーザは空き缶潰し器１を再び第１の形状に戻して、図５（ａ）に示されるように、空き缶Ｃの長手方向と空き缶潰し器１の長手方向が揃うような位置関係で、空き缶潰し器１の第１の部材１１および第２の部材１２の下面（すなわち上述した第１の部分および第２の部分）を空き缶Ｃの上面部および下面部の上頂部に対し押し当てる。その状態で、ユーザが下方に力を加えると、空き缶Ｃはさらに潰れて、図５（ｂ）に示されるように略平坦な形状となる。
【００４６】
以上説明したように、空き缶潰し器１によれば、空き缶Ｃを略平坦な形状となるまで完全に潰すことが可能である。その際、空き缶Ｃがずれる等の不具合が生じることはない。また、空き缶潰し器１は構造が簡単かつ堅牢であるため、繰り返しの使用に対する耐久性も高い。さらに、特に第２の形状の空き缶潰し器１はほぼ棒形状となるため、不使用時の保管の場所も少なくて済み、例えば鞄に入れて持ち運ぶこと際にもさほど邪魔にならない。
【００４７】
上述した実施形態は、本発明の技術的思想の範囲内において、様々に変形が可能である。
【００４８】
例えば、空き缶潰し器１の各要素はステンレス製であるとしたが、これに限られずその他の素材によって作られていてもよい。
【００４９】
また、第１の部材１１と第２の部材１２とは例えば同じ大きさおよび形状を有するものとしたが、本発明はこれに限られるものではない。
【００５０】
また、第１の連結部１３と第２の連結部１４とは例えば同じ大きさおよび形状を有するものとしたが、本発明はこれに限られるものではない。
【００５１】
また、第１の部材１１および第２の部材１２の両端部は垂直上方に曲げられているものとしたが、本発明はこれに限られるものではない。したがって、第１の部材１１および第２の部材１２と第１の連結部１３および第２の連結部１４とが相互に直線状になるように直接に連結されてもよいし、第１の部材１１および第２の部材１２と第１の連結部１３および第２の連結部１４との間にその他の部材（例えば、「垂直部」）が介在してもよい。
【００５２】
垂直部とは、第１の部材１１および第２の部材１２と、第１の連結部１３および第２の連結部１４との両者に対して、それぞれの要素の上下方向において間に挟まれるように配置される部材である。
【００５３】
したがって、第１の立ち上がり部１１２および第２の立ち上がり部１２２は、特に問題がなければ、設けられなくてもよい。
【００５４】
また、第１の部材１１および第２の部材１２の両端部は、第１の連結部１３および第２の連結部１４にネジ留めされているものとしたが、その他のいかなる手段によって両者が連結されてもよく、特に問題がなければ、両者は回動可能な状態で接触しつつ連結されていなくてもよい。
【００５５】
また、第１の連結部１３および第２の連結部１４は、それぞれ第１の部材１１および第２の部材１２の両端部に連結されるとしたが、本発明はこれに限られるものではない。したがって、連結部が１つだけ設けられて第１の部材１１および第２の部材１２の上面の中心付近に連結されてもよい。すなわち、当該連結部の数はいくつであってもかまわない。
【００５６】
また、上述した空き缶潰し器１の各要素の長さ、距離、および形状はあくまでも一例であって、その他の長さ、距離、および形状が使用されてもよい。例えば、第１の部材１１および第２の部材１２を長手方向に垂直な平面で切った断面が、矩形状を有していてもよい。
【００５７】
また、上述した空き缶潰し器１の使用方法はあくまでも一例であって、その他のいかなる使用方法が用いられてもよい。例えば、胴部を潰された空き缶Ｃをさらに潰す際、空き缶潰し器１の形状は第２の形状であってもよい。また、胴部を潰された空き缶Ｃをさらに潰す際、空き缶潰し器１の長手方向と空き缶Ｃの長手方向が交差する位置関係において、第１の形状の空き缶潰し器１により空き缶Ｃが潰されてもよい。
【産業上の利用可能性】
【００５８】
本発明にかかる空き缶潰し器は、家庭等で簡易に空き缶を潰してリサイクル等を行う場合において非常に便利であり、数多く生産販売されていわゆる製造業に貢献することが期待される。
【符号の説明】
【００５９】
１１…第１の部分、１１１…第１の棒状体部、１１２…第１の立ち上がり部、１２…第２の部分、１２１…第２の棒状体部、１２２…第２の立ち上がり部、１３…第１の連結部、１４…第２の連結部
【図１】
2011212740.tif 000003
【図２】
2011212740.tif 000004
【図３】
2011212740.tif 000005
【図４】
2011212740.tif 000006
【図５】
2011212740.tif 000007